(57)【特許請求の範囲】
【請求項１】
外部からの指示を受信する操作受信部と、
ＨＤＲビデオについて１倍速を超える速度で早送り又は巻き戻しさせる旨の特殊再生の信号を前記操作受信部から得た場合に、前記ＨＤＲビデオの再生制御情報に基づいて前記速度に従い決定されたジャンプ先のＧＯＰが有するＩピクチャの輝度値、及び前記ＧＯＰを基準とする設定範囲内における他のＧＯＰが有するＩピクチャの輝度値のうち、設定輝度に最も近い輝度値を持つＩピクチャを選択し、前記設定輝度に最も近い輝度値を持つＩピクチャを前記特殊再生の映像に使用する制御を行うシステム制御部と、を備える映像再生装置。
【請求項２】
前記システム制御部は、前記設定輝度が、前記ＨＤＲビデオを表示する映像表示装置の表示可能な輝度を超える場合に、前記設定輝度を前記表示可能な輝度以下に変更する、請求項１に記載の映像再生装置。
【請求項３】
前記システム制御部は、前記設定輝度以下の輝度値であって、前記設定輝度に最も近い輝度値を持つＩピクチャを選択し、前記設定輝度に最も近い輝度値を持つＩピクチャを前記特殊再生の映像に使用する制御を行う、請求項１又は請求項２に記載の映像再生装置。
【請求項４】
前記システム制御部は、前記設定輝度以下の輝度値を持つＩピクチャが前記ジャンプ先のＧＯＰ及び前記他のＧＯＰに存在しない場合に、前記設定輝度を超える輝度値であって、前記設定輝度に最も近い輝度値を持つＩピクチャを選択し、前記設定輝度に最も近い輝度値を持つＩピクチャを前記特殊再生の映像に使用する制御を行う、請求項３に記載の映像再生装置。
【請求項５】
前記システム制御部は、前記設定輝度以下の輝度値を持つＩピクチャが前記ジャンプ先のＧＯＰ及び前記他のＧＯＰに存在しない場合に、前記設定範囲を広げて、探索する他のＧＯＰの数を増加させ、前記設定輝度以下の輝度値であって、前記設定輝度に最も近いＩピクチャを選択し、前記設定輝度に最も近い輝度値を持つＩピクチャを前記特殊再生の映像に使用する制御を行う、請求項３に記載の映像再生装置。
【請求項６】
前記システム制御部は、前記速度が大きくなるにつれて前記設定輝度が小さくなるよう設定された特殊再生輝度テーブルに基づき、前記速度との関係から前記設定輝度を決定する、請求項１から請求項５のいずれか一項に記載の映像再生装置。
【請求項７】
前記ＨＤＲビデオの再生制御情報は、
映像シーンの重要性を示す数値で規定される重要度レベルを含み、
前記システム制御部は、
前記ジャンプ先のＧＯＰが有する前記Ｉピクチャの重要度レベル、及び前記ＧＯＰを基準とする設定範囲内における他のＧＯＰが有するＩピクチャの重要度レベルのうち、予め設定された閾値以上の重要度レベルを持つ映像フレームを抽出し、抽出した映像フレームに対して、前記設定輝度に最も近い輝度値を持つＩピクチャを選択する、請求項１に記載の映像再生装置。
【請求項８】
操作受信部が、外部からの指示を受信し、
システム制御部が、ＨＤＲビデオについて１倍速を超える速度で早送り又は巻き戻しさせる旨の特殊再生の信号を前記操作受信部から得た場合に、前記ＨＤＲビデオの再生制御情報に基づいて前記速度に従い決定されたジャンプ先のＧＯＰが有するＩピクチャの輝度値、及び前記ＧＯＰを基準とする設定範囲内における他のＧＯＰが有するＩピクチャの輝度値のうち、設定輝度に最も近い輝度値を持つＩピクチャを選択し、前記設定輝度に最も近い輝度値を持つＩピクチャを前記特殊再生の映像に使用する制御を行う、映像再生方法。
【請求項９】
前記システム制御部が、前記ＨＤＲビデオを表示する映像表示装置の表示可能な輝度を前記設定輝度が超える場合に、前記設定輝度を前記表示可能な輝度以下に変更する、請求項８に記載の映像再生方法。
【請求項１０】
前記システム制御部が、前記設定輝度以下の輝度値であって、前記設定輝度に最も近い輝度値を持つＩピクチャを選択し、前記設定輝度に最も近い輝度値を持つＩピクチャを前記特殊再生の映像に使用する制御を行う、請求項８又は請求項９に記載の映像再生方法。
【請求項１１】
前記システム制御部が、前記設定輝度以下の輝度値を持つＩピクチャが前記ジャンプ先のＧＯＰ及び前記他のＧＯＰに存在しない場合に、前記設定輝度を超える輝度値であって、前記設定輝度に最も近い輝度値を持つＩピクチャを選択し、前記設定輝度に最も近い輝度値を持つＩピクチャを前記特殊再生の映像に使用する制御を行う、請求項１０に記載の映像再生方法。
【請求項１２】
前記システム制御部が、前記設定輝度以下の輝度値を持つＩピクチャが前記ジャンプ先のＧＯＰ及び前記他のＧＯＰに存在しない場合に、前記設定範囲を広げて、探索する他のＧＯＰの数を増加させ、前記設定輝度以下の輝度値であって、前記設定輝度に最も近いＩピクチャを選択し、前記設定輝度に最も近い輝度値を持つＩピクチャを前記特殊再生の映像に使用する制御を行う、請求項１０に記載の映像再生方法。
【請求項１３】
前記システム制御部が、前記速度が大きくなるにつれて前記設定輝度が小さくなるよう設定された特殊再生輝度テーブルに基づき、前記速度との関係から前記設定輝度を決定する、請求項８から請求項１２のいずれか一項に記載の映像再生方法。
【請求項１４】
前記ＨＤＲビデオの再生制御情報が、映像シーンの重要性を示す数値で規定される重要度レベルを含み、
前記システム制御部が、前記ジャンプ先のＧＯＰが有する前記Ｉピクチャの重要度レベル、及び前記ＧＯＰを基準とする設定範囲内における他のＧＯＰが有するＩピクチャの重要度レベルのうち、予め設定された閾値以上の重要度レベルを持つ映像フレームを抽出し、抽出した映像フレームに対して、前記設定輝度に最も近い輝度値を持つＩピクチャを選択する、請求項８に記載の映像再生方法。
【発明の詳細な説明】
【技術分野】
【０００１】
本発明は、通常の映像の輝度情報より広い範囲の輝度情報を持つＨＤＲ（Ｈｉｇｈ  Ｄｙｎａｍｉｃ  Ｒａｎｇｅ）ビデオについて再生を制御する映像再生装置及び映像再生方法に関するものである。
【背景技術】
【０００２】
従来の映像再生装置は、例えば標準ビデオの第１の輝度範囲より広い第２の輝度範囲を有する拡張ビデオ（ＨＤＲビデオ）を記録した記録媒体から、データを読み出す読み出し部と、拡張ビデオを表示可能な表示装置と通信を行い、表示装置の識別情報を取得する第１の取得部と、表示装置の仕様に応じた輝度調整用データを取得する第２の取得部と、拡張ビデオの輝度を、輝度調整用データに基づいて調整する調整部と、輝度調整後の拡張ビデオのデータを表示装置に出力する出力部とを備える映像再生装置が開示されている（例えば、特許文献１参照）。
【先行技術文献】
【特許文献】
【０００３】
【特許文献１】国際公開第２０１５／０４５９１６号
【発明の概要】
【発明が解決しようとする課題】
【０００４】
このような映像再生装置にあっては、ＨＤＲビデオの通常速度の再生時において、モニタが表示可能な輝度値に表示する映像を調整するが、早送り、巻き戻し、スロー再生、又はスチル表示などの特殊再生時に対応した輝度値の調整は行われていなかった。それゆえ、例えばＨＤＲビデオを早送りした際などにおいて、高輝度の輝点が画面上を激しく動くことがあり、視聴者の目が疲れやすくなるといった問題点があった。
【０００５】
本発明は、上述のような問題を解決するためになされたもので、例えばＨＤＲビデオを早送りするなどの特殊再生時においても、高輝度の輝点が画面上を激しく動くことを抑制し、視聴者の目の疲れを従来より軽減できる映像再生装置及び映像再生方法を提供することを目的とする。
【課題を解決するための手段】
【０００６】
本発明に係る映像再生装置は、外部からの指示を受信する操作受信部と、ＨＤＲビデオについて１倍速を超える速度で早送り又は巻き戻しさせる旨の特殊再生の信号を操作受信部から得た場合に、ＨＤＲビデオの再生制御情報に基づいて速度に従い決定されたジャンプ先のＧＯＰが有するＩピクチャの輝度値、及びこのＧＯＰを基準とする設定範囲内における他のＧＯＰが有するＩピクチャの輝度値のうち、設定輝度に最も近い輝度値を持つＩピクチャを選択し、設定輝度に最も近い輝度値を持つＩピクチャを特殊再生の映像に使用する制御を行うシステム制御部とを備えたものである。
【０００７】
また、本発明に係る映像再生方法は、操作受信部が、外部からの指示を受信し、システム制御部が、ＨＤＲビデオについて１倍速を超える速度で早送り又は巻き戻しさせる旨の特殊再生の信号を操作受信部から得た場合に、ＨＤＲビデオの再生制御情報に基づいて速度に従い決定されたジャンプ先のＧＯＰが有するＩピクチャの輝度値、及びこのＧＯＰを基準とする設定範囲内における他のＧＯＰが有するＩピクチャの輝度値のうち、設定輝度に最も近い輝度値を持つＩピクチャを選択し、設定輝度に最も近い輝度値を持つＩピクチャを特殊再生の映像に使用する制御を行うものである。
【発明の効果】
【０００８】
本発明に係る映像再生装置及び映像再生方法によれば、例えばＨＤＲビデオを早送りするなどの特殊再生時においても、高輝度の輝点が画面上を激しく動くことを抑制し、視聴者の目の疲れを従来より軽減できる。
【図面の簡単な説明】
【０００９】
【図１】本発明の実施の形態１に係る映像再生装置の構成を示すブロック図である。
【図２】本発明の実施の形態１に係る映像再生装置のハードウェア構成図である。
【図３】ＨＤＲビデオの画像例である。
【図４】本発明の実施の形態１に係る光ディスクの論理ファイル構造の説明図である。
【図５】本発明の実施の形態１に係るストリーム情報ファイルの内部データ構造を説明する図である。
【図６】本発明の実施の形態１に係る再生制御情報ファイルにおけるシンタックスを説明する図である。
【図７】本発明の実施の形態１に係る映像ストリーム７００のデータ構造の説明図である。
【図８】本発明の実施の形態１に係る近傍フレーム輝度情報５２４のデータ構造の説明図である。
【図９】本発明の実施の形態１に係る映像再生装置の特殊再生輝度テーブルを示す図である。
【図１０】本発明の実施の形態１に係る早送り再生時のジャンプを説明する図である。
【図１１】本発明の実施の形態１に係る映像再生装置の再生処理を説明するフローチャートである。
【図１２】本発明の実施の形態１に係る特殊再生のジャンプ位置補正処理のフローチャートである。
【図１３】本発明の実施の形態２に係る近傍フレーム輝度情報１２００のデータ構造の説明図である。
【図１４】本発明の実施の形態２に係る映像再生装置の再生処理を説明するフローチャートである。
【発明を実施するための形態】
【００１０】
実施の形態１．
本発明の実施の形態１に係る映像再生装置１００を図１〜１２を用いて説明する。図において、同一の符号を付したものは、同一またはこれに相当するものであり、このことは、明細書の全文において共通することである。
【００１１】
従来の光ディスク規格では、例えば、標準の輝度（１００ｎｉｔ）のモニタで視聴することを前提にビデオオーサリングが行われていた。近年では１００００ｎｉｔを超えるような標準の輝度よりも高輝度の映像を表現できるモニタが市販されはじめ、このようなダイナミックレンジが広いモニタで高品位の映像を視聴したいという要求が高くなっている。
【００１２】
本発明の実施の形態１に係る映像再生装置１００は、通常の映像の輝度情報より広い範囲の輝度情報を持つＨＤＲ（Ｈｉｇｈ  Ｄｙｎａｍｉｃ  Ｒａｎｇｅ）ビデオの再生の制御を行う装置である。ＨＤＲビデオは、表示処理が可能な輝度信号の最大値と最小値の範囲が従来のＳＤＲ（Ｓｔａｎｄａｒｄ  Ｄｙｎａｍｉｃ  Ｒａｎｇｅ）ビデオよりも広いものである。例えば、ＨＤＲビデオを任意の再生速度以上で再生する場合などに、本発明の実施の形態１に係る映像再生装置１００は、特殊再生の映像の輝度変化が小さくなるように表示するピクチャを選択することで、輝点のちらつきによる目の疲れを低減することができる。
【００１３】
図１は、本発明の実施の形態１に係る映像再生装置１００の構成を示すブロック図である。図１に示すように、実施の形態１に係る映像再生装置１００は、システム制御部１０１、デコーダブロック部１１５、記憶部１２０、及び操作受信部１２１を有する。また、デコーダブロック部１１５は、再生ドライブ部１０２、ストリーム制御部１１０、映像音声デコーダ部１１１、及びデジタルインターフェース部１１２を有する。図１を用いて、映像再生装置１００の構成と一般的な再生処理の流れを説明する。
【００１４】
光ディスク１０３には、後述する符号化映像が多重化されたストリーム情報、および当該ストリーム情報の再生制御情報が記録されている。再生制御情報とは、光ディスク１０３に記録されているストリーム情報から分離され、符号化された映像ストリーム及び音声ストリームに関する映像及び音声の属性情報、並びにストリーム情報のアクセス単位（通常、後述するＧＯＰ（Ｇｒｏｕｐ  ｏｆ  Ｐｉｃｔｕｒｅ）単位）で再生開始時間情報と再生開始位置情報との対応関係を示す情報などを有する。また、再生制御情報は、所定のＧＯＰを基準とし、設定範囲内におけるＧＯＰが有する映像フレーム（特にＩピクチャ）の輝度情報を、各アクセス単位毎に有している。ここで、設定範囲は、ＧＯＰ単位で予め定められた範囲であり、任意に変更可能である。例えば本発明の実施の形態１において、設定範囲は、基準とする所定のＧＯＰと時間方向に並べられた前後３つのＧＯＰとを含む範囲である。
【００１５】
システム制御部１０１は映像再生装置１００の全体を統合制御する。また、システム制御部１０１は、光ディスク１０３に記録されたＭＰＥＧ−２  ＴｒａｎｓｐｏｒｔＳｔｒｅａｍ（以下、ＭＰＥＧ−２  ＴＳ）などの形式で符号化圧縮されたストリーム情報を再生させる場合、再生対象のストリーム情報に関連する再生制御情報をあらかじめ読み出しておく。システム制御部１０１は、読み出した再生制御情報を即座に読み出せるように記憶部１２０に保持させる。システム制御部１０１は、記憶部１２０に保持された再生制御情報に基づき、映像再生装置１００における周辺のデバイスに対して再生準備を行うよう指示する。また、システム制御部１０１は、表示機器情報取得部１５１と特殊再生フレーム選択部１５２とを有する。なお、本発明に係る映像再生装置１００のシステム制御部１０１の具体的な処理例は、後ほど説明する。
【００１６】
表示機器情報取得部１５１は、表示装置通信部１１４を通じて、映像表示装置１１３の表示性能の情報を含む表示可能フォーマット（映像表示装置１１３のＨＤＲ対応の有無、最大出力輝度値、推奨最大輝度値、製造者名、製造年、表示可能解像度、又はインターレース対応可否など）を取得する。なお、映像表示装置１１３は、表示可能フォーマットをＥＤＩＤ（Ｅｘｔｅｎｄｅｄ  Ｄｉｓｐｌａｙ  Ｉｄｅｎｔｉｆｉｃａｔｉｏｎ  Ｄａｔａ）として不揮発性メモリに記録している。また、推奨最大輝度値とは、映像表示装置１１３側でバックライトの定格以内で表示可能な最大輝度の設定値を示す。
【００１７】
特殊再生フレーム選択部１５２は、映像再生装置１００で、早送り、巻き戻し、スロー再生、又はスチル表示などの特殊再生を行った際に映像フレームのジャンプ先を決定する。ここで、特殊再生のうち、早送り又は巻き戻しを行う特殊再生は、通常再生速度を１倍速とした場合において、１倍速を超える速度で早送り又は巻き戻しを行う。通常、早送り又は巻き戻しなどの特殊再生を行うと、再生速度に従って予め定められた時間分の映像フレームを飛ばすジャンプが行われ、再生速度に従って決定される時間位置の映像フレームが再生される。係るジャンプを繰り返して映像フレームを再生することで、早送り又は巻き戻しなどの特殊再生が実現される。例えば、５倍速再生の場合には１秒分、１０倍速再生の場合には２秒分の映像フレームが飛ばされる。その後、特殊再生フレーム選択部１５２は、後述する光ディスク１０３に記録されている近傍フレーム輝度情報に基づいて、ジャンプ先の映像フレームを決定する。
【００１８】
デコーダブロック部１１５は、映像ストリーム及び音声ストリームの記録再生機能を担うブロックの総称である。本発明の実施の形態１において、デコーダブロック部１１５は、システム制御部１０１からの指示に基づき、光ディスク１０３に記録されたストリーム情報の再生を行う。また、デコーダブロック部１１５が記録機能を有している場合、デコーダブロック部１１５は、光ディスクにストリーム情報等の記録を行うこともできる。
【００１９】
再生ドライブ部１０２は、光ディスク１０３に記録された情報の読出しを行う。
【００２０】
ストリーム制御部１１０は、映像再生装置１００全体のストリーム情報の流れを統括する制御を行う。ストリーム制御部１１０は、再生ドライブ部１０２で光ディスク１０３に記録されたストリーム情報を読み出させ、読み出されたストリーム情報を映像音声デコーダ部１１１に供給する。
【００２１】
映像音声デコーダ部１１１は、ストリーム制御部１１０を経由して供給されたストリーム情報を逐次取り込んだ後に、符号化圧縮された映像ストリーム及び音声ストリームに分離して、それぞれを取り出す。その後、映像音声デコーダ部１１１は、ＭＰＥＧ−２などで符号化された映像ストリームをデコード処理して映像信号に復号する。一方、映像音声デコーダ部１１１は、ＡＣ−３などで符号化された音声ストリームも同様にデコード処理を行い、音声信号に復号する。そして復号された映像信号及び音声信号は、デジタルインターフェース部１１２に出力される。
【００２２】
デジタルインターフェース部１１２は、映像音声デコーダ部１１１から供給された映像信号及び音声信号を、例えば、ＨＤＭＩ（登録商標）インターフェースに適合した信号に変換する。また、デジタルインターフェース部１１２は、表示装置通信部１１４を有する。
【００２３】
表示装置通信部１１４は、デジタルインターフェース部１１２でＨＤＭＩインターフェースに適合した信号に変換された映像信号および音声信号を映像表示装置１１３に伝送する。なお、本実施の形態１では、デジタルインターフェース部１１２が表示装置通信部１１４を有する例について示しているが、デジタルインターフェース部１１２とは別に設けられていてもよい。
【００２４】
記憶部１２０は再生制御情報等の各種データの保存を行い、必要な場合に適宜読み出される。操作受信部１２１は、外部からの指示を受信する。つまり、操作受信部１２１は、ユーザーなどから映像再生装置１００に対して処理の要求等を行う操作装置１３０からの入力信号を受信する。また、システム制御部１０１と記憶部１２０とは互いに接続され、記憶部１２０は、後述する、特殊再生速度に応じた設定輝度値をリスト化した特殊再生輝度テーブル１４０を持つ。
【００２５】
一般的に操作装置１３０は、映像再生装置１００のフロントパネルに配置されている操作パネル又はリモコンなどである。システム制御部１０１は、操作装置１３０によって入力された命令の内容に基づき、デコーダブロック部１１５を制御することで任意のストリーム情報を再生する。また操作装置１３０は、映像の再生開始、再生停止、一時停止、早送り、巻き戻し、スロー再生、又はスキップなどの指示を行う。
【００２６】
映像表示装置１１３は、デジタルインターフェース部１１２でＨＤＭＩ信号に変換されて出力された映像信号および音声信号を受信し、映像の表示及び音声の出力を行う。また、映像再生装置１００から映像信号および音声信号が、表示装置通信部１１４を通じて出力される際に、映像再生装置１００は、ブランキング期間にＨＤＭＩ規格で規定されている映像音声に関する映像属性情報を映像表示装置１１３に伝送する。伝送される映像属性情報は、映像再生装置１００から出力された映像信号のＨＤＲビデオの有無、最大出力輝度値情報、及びマスタリング環境情報を有する。なお、映像表示装置１１３へは、現在再生している映像フレームの近傍に位置するＩピクチャの輝度情報を伝送しても良い。
【００２７】
なお、本発明の実施の形態１では、再生ドライブ部１０２の具体例として、光ディスクドライブ読み取り装置と仮定して説明を進めるが、ハードディスクドライブ装置又はＳＤメディアドライブ装置でもよく、これらの例に限られるものではない。また、ハードディスクドライブ装置又はＳＤメディアドライブ装置である場合、ハードディスクドライブ又はＳＤメディア上にストリーム情報と再生制御情報とが記録されており、再生ドライブ部１０２を通じて情報の読出しが行なわれる。
【００２８】
また、再生ドライブ部１０２を設けず又は用いずに、ストリーム制御部１１０は、ＨＤＲビデオをインターネット等の通信回線を介して記憶部１２０にバッファリングさせ、ＨＤＲビデオの通常再生又は特殊再生を行う構成としてもよい。
【００２９】
なお、本発明の実施の形態１では、システム制御部１０１の表示機器情報取得部１５１は、ＨＤＭＩを利用して映像表示装置１１３の表示可能フォーマットを取得する例について説明しているが、ｉＬｉｎｋ又は赤外線通信といった検出機構を用いて映像表示装置１１３の表示可能フォーマットを取得しても良い。
【００３０】
なお、表示機器情報取得部１５１及び特殊再生フレーム選択部１５２は、システム制御部１０１内のファームウェアなどで構成される例を示しているが、システム制御部１０１と別に存在してもよく、同様の機能を有するハードウェアであってもよい。
【００３１】
なお、映像表示装置１１３は、必ずしも映像再生装置１００と別体で設けられる必要はなく、映像を表示する表示部が映像再生装置１００に一体に設けられたものであってもよい。
【００３２】
図２は、本発明の実施の形態１に係る映像再生装置１００のハードウェア構成図である。図２に示すように、映像再生装置１００は、通信装置１０、再生ドライブ装置１１、ＣＰＵ（Ｃｏｎｔｒｏｌ  Ｐｒｏｃｅｓｓｉｎｇ  Ｕｎｉｔ）などのプロセッサ１２、及びメモリ１３を備える。操作受信部１２１及び表示装置通信部１１４は通信装置１０である。映像再生装置１００は、操作受信部１２１及び表示装置通信部１１４のそれぞれに対応する通信装置１０を有している。ただし、操作受信部１２１及び表示装置通信部１１４は、１つの通信装置１０が兼ねていてもよい。再生ドライブ部１０２は再生ドライブ装置１１である。また、ストリーム制御部１１０、映像音声デコーダ部１１１、デジタルインターフェース部１１２、及びシステム制御部１０１（表示機器情報取得部１５１と特殊再生フレーム選択部１５２とを含む）は、プロセッサ１２がメモリ１３に記憶されたプログラムを実行することにより動作する。また、映像表示装置１１３はモニタなどのディスプレイである。
【００３３】
次に、本実施の形態１における映像再生装置１００によるＨＤＲビデオの特殊再生について図３を用いて説明する。図３は、ＨＤＲビデオの画像例２００である。
【００３４】
従来のＳＤＲビデオでは、表現可能な輝度範囲が限定されているため、太陽の煌めき又は川に映る光の反射などの高輝度のものについて表現を行うことができなかった。また従来のＳＤＲビデオでは、高輝度部分での細かな階調表現が行うことができないため、白で飽和した「白とび」と呼ばれる現象が発生していた。例えば、図３に示す景色を表示する画像例２００において、輝点２０１ａは太陽が存在する位置であり、輝点２０１ｂ及び輝点２０１ｃは太陽光が川に反射する位置に相当する。輝点２０１ａにおける太陽の煌めき、輝点２０１ｂ及び輝点２０１ｃにおける太陽光が川に反射することによる煌めきについて、従来ＳＤＲビデオでは、階調表現が損なわれており、高輝度部分の表示自体も行うことができなかった。
【００３５】
一方で、ＨＤＲビデオの規格では、ＨＤＲビデオが記録された記録媒体をＨＤＲ対応の映像再生装置１００で再生し視聴した場合に、前述した高輝度部分（輝点２０１ａ、輝点２０１ｂ及び輝点２０１ｃ）についての表示、及び高輝度部分の階調表現が可能となる。それゆえ、従来より高品位な映像視聴を楽しむことが可能である。
【００３６】
しかしながら、１倍速を超える速度で早送り又は巻き戻しする特殊再生時には、画面相関性が低い映像連続的に高速表示する。それゆえ、ＨＤＲビデオにおいて高輝度の部分である輝点が画面上を激しく動きまわる場合があり、視聴者の目が疲れるなどの問題が発生する場合がある。本発明の実施の形態１における映像再生装置１００では、特殊再生時に高輝度の輝点を有する映像フレームが選択されるのを抑制することで、輝点が画面上を激しく動くことを防ぎ、視聴者の目の疲れを軽減する。また、特殊再生時に高輝度の輝点を有する映像フレームが選択されることを抑制することで、画面全体の平均輝度値の変動を低減することができ、同様に、視聴者の目の疲れを軽減することができる。
【００３７】
図４は、本発明の実施の形態１に係る光ディスクの論理ファイル構造の説明図である。ルートディレクトリ３００は、論理的に階層構造を成すファイル構造の最上位階層のディレクトリ構造である。ディスクディレクトリ３０１は、ルートディレクトリ３００の下位階層に配置されるディレクトリ構造である。ディスクディレクトリ３０１は、光ディスク１０３に記録されておりディスクコンテンツを管理する再生制御情報をファイル形式で記録した再生制御情報ファイル３１０と、ストリーム情報ファイル３２０をまとめて記録したフォルダであるストリーム管理ディレクトリ３０２とを有する。
【００３８】
図４において、ストリーム情報ファイル３２０は、５桁のファイル名により記録されている。ただし、ストリーム情報ファイル３２０のファイル名は、５桁の数字であれば良く連番である必要はない。なお、ストリーム情報ファイル３２０が個別のディレクトリ（ストリーム管理ディレクトリ３０２）内に配置される例を示しているが、ストリーム情報ファイル３２０がルートディレクトリ３００に直接配置されたり、他のディレクトリに配置されたりしていても構わない。また、ストリーム情報ファイル３２０が所定の管理単位毎に個別のファイルとして形成されている例を示しているが、各ストリーム情報ファイル３２０が１つのファイルにまとめて記録されていても構わない。
【００３９】
図５は、本発明の実施の形態１に係るストリーム情報ファイル３２０の内部データ構造を説明する図である。ストリーム情報ファイル３２０は、パケット４００と呼ばれる固定長のデータ単位により構成されている。ストリーム情報ファイル３２０は、映像データ、音声データ、及びストリーム管理データがパケット４００単位に分割された後に、多重化されて構成されている。各パケット４００は、それぞれの先頭にヘッダ情報４０１を有し、パケット４００内のデータは、ヘッダ情報４０１に記述されたＩＤ４０２（Ｉｄｅｎｔｉｆｉｃａｔｉｏｎ）により識別される。ストリーム制御部１１０は、ＩＤ４０２を識別して、ストリーム情報ファイル３２０について、映像データ、音声データ、及びストリーム管理データ等に分離を行う。
【００４０】
図６は、本発明の実施の形態１に係る再生制御情報ファイル３１０におけるシンタックスを説明する図である。図６の再生制御情報ファイル３１０に記述があるディスク一般情報について説明する。図６に示すディスク一般情報は、ディスクを特定するための情報であり、光ディスク１０３の製造元の識別番号であるＳｔｕｄｉｏ＿ＩＤ５０１と、光ディスク１０３内のコンテンツ識別番号であるＤｉｓｃ＿ＩＤ５０２とが記録されている。Ｓｔｕｄｉｏ＿ＩＤ５０１とＤｉｓｃ＿ＩＤ５０２とを用いることで、市場に流通しているディスク全体から、当該光ディスク１０３に記録されたコンテンツを特定することができる。また、Ｓｔｕｄｉｏ＿ＩＤ５０１とＤｉｓｃ＿ＩＤ５０２とを用いて、光ディスク１０３に記録されたコンテンツに紐づいた各映像フレームの最大輝度情報又は平均輝度情報をネットワークから取得するように構成しても良い。
【００４１】
また、図６の再生制御情報ファイル３１０に記述があるプレイリスト情報について説明する。図６に示すプレイリスト情報は、光ディスク１０３内に記録されている番組タイトルに関する情報である。つまり、プレイリストは、光ディスク１０３内に記録されている番組タイトルであるため、「ｎｕｍ＿ｏｆ＿ｐｌａｙｌｉｓｔ５０３」は、プレイリストの総数を示す。「ｎｕｍ＿ｏｆ＿ｐｌａｙｌｉｓｔ５０３」の１つ下の行にあるループ文（ｆｏｒ以下）は、「ｎｕｍ＿ｏｆ＿ｐｌａｙｌｉｓｔ５０３」の数だけ繰り返される。なお、プレイリストは、後述する１つ又は複数のプレイアイテムから構成される。また１つのプレイアイテムは１枚又は複数枚の映像フレームから構成され、１枚の映像フレームは複数のピクセルから構成される。
【００４２】
「ｆｌａｇ＿ＨＤＲ５０４」は、プレイリストがＨＤＲビデオであるか又はＳＤＲビデオであるかを識別するために用いられる情報である。なお、複数のＨＤＲ技術を用いる場合には、「ｆｌａｇ＿ＨＤＲ５０４」にＨＤＲの種別を示す情報を記録して管理してもよい。
【００４３】
「Ｍａｘ＿ＬＬ５０５」は、プレイリストに対応する番組において、映像フレームを構成する全てのピクセルの中で、最大の出力輝度値について示す。「Ｍａｘ＿Ａｖｅ＿ＬＬ５０６」は、プレイリストに対応する番組において、映像フレーム毎の平均輝度であって最大の平均輝度を持った映像フレームの出力輝度値を示す。「ＭａｓｔｅｒＭｏｎｉｔｏｒＩｎｆｏ５０７」は、当該プレイリストを作成した際のマスタリングに用いたモニタの表示性能情報を示す。
【００４４】
前述のとおり、プレイリストは、１つ又は複数のプレイアイテムから構成される。「ｎｕｍ＿ｏｆ＿ｐｌａｙｉｔｅｍ５０８」は、プレイアイテムの総数が記録される。「ｎｕｍ＿ｏｆ＿ｐｌａｙｉｔｅｍ５０８」の１つ下の行にあるループ文（ｆｏｒ以下）は、「ｎｕｍ＿ｏｆ＿ｐｌａｙｉｔｅｍ５０８」の数だけ繰り返される。
【００４５】
プレイアイテムは、１つの再生区間情報が記録されており、再生対象のストリームファイル名５０９、再生開始時間５１０の情報、及び再生終了時間５１１の情報を有している。映像再生装置１００は、係る再生区間情報に基づき、ストリーム情報ファイル３２０のどの区間を再生すればよいのかを判断することができる。
【００４６】
また、図６に示すストリーム情報について説明する。再生制御情報ファイル３１０は、光ディスク１０３内に記録されているストリーム情報ファイル３２０の総数を示す「ｎｕｍ＿ｏｆ＿ｓｔｒｅａｍ５１２」を有する。「ｎｕｍ＿ｏｆ＿ｓｔｒｅａｍ５１２」の１つ下の行にあるループ文（ｆｏｒ以下）は、「ｎｕｍ＿ｏｆ＿ｓｔｒｅａｍ５１２」の数だけ繰り返される。ストリーム情報ファイル名５１３は、ストリーム情報ファイル３２０の名前を示し、本発明の実施の形態１では５桁の数字情報の場合を例示している。また、属性情報管理テーブル５１４は、ストリーム情報ファイル３２０中で使用される映像情報及び音声情報などの属性情報が記録されている。
【００４７】
また、アクセスポイント管理テーブル５１５は、アクセスポイント毎のストリーム読み出し位置である再生開始時間情報５２１、再生開始位置情報５２２、Ｉピクチャのサイズ５２３、及び近傍フレーム輝度情報５２４を記録したリスト情報である。システム制御部１０１は、アクセスポイント管理テーブル５１５の情報を用いて、タイムサーチ又は特殊再生などのランダムアクセス再生について制御を行う。なお、例えば映像データがＭＰＥＧ−２ビデオストリームでエンコードされている場合、ＧＯＰの先頭はアクセスポイントに相当する。再生開始時間情報５２１及び再生開始位置情報５２２（ストリームファイル先頭を起算とした位置）は、ＧＯＰ毎に情報が記述されている。
【００４８】
ここで、図７より、映像ストリーム７００におけるＧＯＰ７０１及びＩピクチャ７１０について説明するため、映像ストリーム７００のデータ構造について説明する。図７は、本発明の実施の形態１に係る映像ストリーム７００のデータ構造の説明図である。図７より、映像ストリーム７００は、符号化圧縮単位であるＧＯＰ７０１単位で情報が圧縮されている。符号化圧縮された映像ストリーム７００に係るデータ構造は、ストリーム制御部１１０でストリーム情報ファイル３２０がデマルチプレクサされることによって抽出される。
【００４９】
ＧＯＰ７０１は、フレーム内でデータ圧縮されたＩピクチャ７１０と、時間的に前方向のＩピクチャ７１０による動き補償を加えてデータ圧縮されたＰピクチャ７１１と、時間的に前後方向のＩピクチャ７１０又はＰピクチャ７１１による動き補償を加えてデータ圧縮されたＢピクチャ７１２とから構成されている。ＧＯＰ７０１は、例えば約０．５秒の再生時間ごとに符号化圧縮が行われている。
【００５０】
Ｉピクチャ７１０は、ＧＯＰ７０１の先頭に位置しており、ＧＯＰ７０１の中で最初にデコードされる。またＩピクチャ７１０は、表示時刻情報７２０、映像属性情報７３０、及び符号化映像データ７４０から構成される。
【００５１】
Ｉピクチャ７１０の表示時刻情報７２０は、ＰＴＳ（Ｐｒｅｓｅｎｔａｔｉｏｎ  Ｔｉｍｅ  Ｓｔａｍｐ）が付与されており、映像表示装置１１３への提示時間情報が記録されている。なお、Ｉピクチャ７１０の表示時刻情報７２０は、映像又は音声が同期可能な時刻情報であればよく、ＰＴＳではなくＮＴＰ（Ｎｅｔｗｏｒｋ  Ｔｉｍｅ  Ｐｒｏｔｏｃｏｌ）で定義される時刻情報などを利用しても構わない。
【００５２】
Ｉピクチャ７１０の映像属性情報７３０は、ＡＵＤ７３１（Ａｃｃｅｓｓ  Ｕｎｉｔ  Ｄｅｌｉｍｉｔｅｒ）、ＳＰＳ７３２（Ｓｅｑｕｅｎｃｅ  Ｐａｒａｍｅｔｅｒ  Ｓｅｔ）、ＰＰＳ７３３（Ｐｉｃｔｕｒｅ  Ｐａｒａｍｅｔｅｒ  Ｓｅｔ）、及びＳＥＩ７３４（Ｓｕｐｐｌｉｍｅｎｔａｌ  Ｅｎｈａｎｃｅｍｅｎｔ  Ｉｎｆｏｍａｔｉｏｎ）から構成される。
【００５３】
ＡＵＤ７３１は、映像のアクセスユニットの先頭を示す識別子情報を有し、加えて当該アクセスユニットに含まれるスライス７４１の種類を示す情報を有している。また、ＳＰＳ７３２は、ＧＯＰ７０１全体の符号化に関わるプロファイル、値、解像度、フレームレート、及びビットレート上限値などの情報を有している。ＰＰＳ７３３は、ピクチャ全体の符号化に関わる情報を持ち、エントロピー符号化モードやピクチャ単位の量子化パラメータ等の情報が記録される。ＳＥＩ７３４は、ＧＯＰ７０１の最大出力輝度値やＧＯＰ７０１毎のトーンマップ情報などが格納されたメタデータが記録されている。メタデータは、映像表示装置１１３の側で動的にＨＤＲビデオの出力輝度値を変更するなどの用途に用いられる。なお、Ｉピクチャ７１０以外のピクチャである、Ｐピクチャ７１１又はＢピクチャ７１２は、Ｉピクチャ７１０と異なりＳＰＳ７３２及びＳＥＩ７３４を有していない。
【００５４】
映像再生装置１００は、再生開始時間情報５２１からストリーム情報ファイル３２０の再生開始位置情報５２２を割り出し、当該位置からＩピクチャサイズ５２３分だけデータを読み込むことで、Ｉピクチャ７１０の復号化を行い、映像フレームの出力を行うことができる。なお、アクセスポイント管理テーブル５１５では、アクセス単位（ＧＯＰ７０１単位）毎に、当該アクセスポイント近傍の映像フレーム（当該ＧＯＰ７０１を基準とする設定範囲内の他のＧＯＰ７０１のＩピクチャ７１０）の最大輝度情報と平均輝度情報とを記録している。ここで、最大輝度とは、映像フレームを構成するピクセルのうち、最も輝度値が大きいものを指す。平均輝度とは、映像フレームを構成するピクセルの平均輝度を指す。
【００５５】
図８は、本発明の実施の形態１における近傍フレーム輝度情報５２４のデータ構造の説明図である。近傍フレーム輝度情報５２４は、所定のアクセスポイント（ＧＯＰ７０１）が有するＩピクチャ７１０の最大輝度情報である最大輝度値及び平均輝度情報である平均輝度値、並び所定のアクセスポイントを基準とする設定範囲内における他のアクセスポイントが有するＩピクチャ７１０の最大輝度値及び平均輝度値を有する。ここで、設定範囲内は任意に設定することができ、本発明の実施の形態１では、所定のＧＯＰ７０１から時間的に未来方向へ３つ分、及び過去方向へ３つ分設定されている。
【００５６】
つまり、図８では、Ｎはアクセスポイントの位置を示し、本発明の実施の形態１における近傍フレーム輝度情報５２４は、所定のアクセスポイントであるＧＯＰ（Ｎ）から時間的に未来方向へ３つ分、また過去方向へ３つ分のアクセスポイントのＩピクチャ７１０の最大輝度情報と平均輝度情報とを持つものとする。なお、Ｎ＋１、Ｎ＋２、Ｎ＋３と進むにつれ、時間的に未来方向を表す。一方で、Ｎ−１、Ｎ−２、Ｎ−３と進むにつれ、時間的に過去方向を表す。
【００５７】
例えば、最大輝度情報（Ｎ）６０１及びフレーム平均輝度情報（Ｎ）６０２は、基準となるアクセスポイントのＩピクチャ７１０における最大輝度情報及びフレーム平均輝度情報を示す。最大輝度情報（Ｎ−３）６１１及びフレーム平均輝度情報（Ｎ−３）６１２は、過去方向に３つ前のアクセスポイントのＩピクチャ７１０における最大輝度情報及びフレーム平均輝度情報を示す。逆に最大輝度情報（Ｎ＋３）６２１及びフレーム平均輝度情報（Ｎ＋３）６２２は、未来方向に３つ先のアクセスポイントのＩピクチャ７１０における最大輝度情報及びフレーム平均輝度情報を示す。なお、図８では便宜的に「フレーム平均輝度情報」を「平均輝度情報」と示している。
【００５８】
なお、本発明の実施の形態１では、近傍フレーム輝度情報５２４は、ＧＯＰ（Ｎ−３）〜ＧＯＰ（Ｎ＋３）まで７つのアクセスポイントの輝度情報を有している。つまり、近傍フレーム輝度情報５２４は、ＧＯＰ（Ｎ）を中心として、時間的に前後３つのアクセスポイントの輝度情報を持っているが、３つに限らず、更に多くのアクセスポイントの情報を持っても構わないし、１つ分でも構わないのは言うまでもない。
【００５９】
図９は、本発明の実施の形態１に係る映像再生装置１００の特殊再生輝度テーブル１４０を示す図である。特殊再生輝度テーブル１４０は、変動要因８０１に対応する設定輝度８０２（単位はｎｉｔ）をリスト化したものである。ここで、変動要因８０１は、例えば早送り又は巻き戻しなどの特殊再生を行った場合の特殊再生速度であり、設定輝度８０２は、予め設定されている輝度値である。例えば、変動要因８０１を特殊再生速度であるとした場合、特殊再生輝度テーブル１４０は、早送り又は巻き戻しの再生速度が大きくなるにつれて設定輝度８０２が小さくなるよう設定されている。システム制御部１０１は、係る特殊再生輝度テーブル１４０に基づき、速度との関係から設定輝度８０２を決定する。図９より、変動要因８０１である特殊再生速度が大きくなるにつれて、設定輝度８０２が小さくなっていることがわかる。
【００６０】
映像シーンは再生速度が小さいほど映像の相関性が高く、高輝度の輝点の場所が変動しにくい。例えば１．５倍速再生時には、ほぼ通常再生速度と同じであるため、１．５倍速の早送りを行っても輝点が画面上を激しく動く可能性は再生速度が大きい場合より低い。一方、５０倍速再生時には映像の相関性が低くなるため高輝度の輝点が画面上を激しく動く可能性が高い。ＨＤＲビデオの早送り又は巻き戻し再生の倍率が高いほど（早送り又は巻き戻し再生の速度の絶対値が大きいほど）、高輝度の輝点の変動による目の疲れが大きくなるため、設定輝度８０２を小さな値に設定することで、映像再生装置１００に映る高輝度の輝点の明るさの変化を抑制し、視聴者の目の疲れを軽減することができる。
【００６１】
なお、図９では、特殊再生速度として、１．３倍速、５倍速、１０倍速、及び５０倍速の４つの速度に分類して設定輝度８０２を管理している例について説明しているが、分類をまとめて１つにしても構わないし、更に細分化して管理しても構わない。
【００６２】
本発明の実施の形態１では、変動要因８０１は早送り又は巻き戻し再生などの特殊再生速度であるものとして説明を進めている。しかし、変動要因８０１として、早送り又は巻き戻し再生などの特殊再生速度に替えて若しくは加えて、特殊再生時の単位時間あたりに表示される映像フレーム数、ランダムアクセス再生のスキップ幅、又は操作者の年齢若しくは性別などの情報を用いてもよい。
【００６３】
特殊再生は、Ｉピクチャ７１０を間欠的に飛ばしながら、連続的に映像フレームの表示を行っているが、映像再生装置１００のプロセッサ性能又は映像表示装置１１３の表示解像度によって、単位時間あたりに表示可能なＩピクチャ７１０の枚数が異なってくる。そのため、表示可能な映像フレームの枚数が多い場合には、高輝度の輝点が画面上を激しく動く可能性が高いため、単位時間あたりに表示される映像フレーム数が多いほど、視聴者の目の疲れが大きくなる。ゆえに、変動要因８０１として、特殊再生時の単位時間あたりに表示される映像フレーム数が多いほど設定輝度８０２を小さい値に設定し、視聴者の目の疲れを軽減させる。
【００６４】
変動要因８０１としてランダムアクセス再生のスキップ幅を用いた場合、スキップ幅が大きいほど設定輝度８０２を小さい値に設定するようにしてもよい。スキップ幅は、例えば５秒スキップ、１５秒スキップ、３０秒スキップ、又はチャプタースキップなどが実行された場合の再生時間のジャンプ幅である。また、再生時間のジャンプ幅が大きいほど、ジャンプ前の映像シーンとの相関性が薄くなるため、画面全体の輝度変化が大きくなる可能性が高い。例えば暗い映像シーンから高輝度のシーンに切り替わることによって、視聴者の目が眩むなどの問題がある。そこで、ランダムアクセス再生に関する操作の直後から、予め定められた時間だけ設定輝度８０２を低くすることで、視聴者の目が眩むなどの問題を軽減することができる。予め定められた時間経過後は、段階的に設定輝度８０２が高くなるように構成することで、視聴者の目の疲れを防ぐように構成してもよい。
【００６５】
変動要因８０１として操作者の性別又は年齢を用いた場合、女性又は低年齢者であるほど設定輝度８０２を小さい値に設定するようにしてもよい。一般的に、女性又は低年齢者は光感受性発作が起きやすく、激しい光の明滅の影響を受けやすい傾向にある。そこで、操作者によって設定輝度８０２の値が変更されるようにしてもよい。
【００６６】
また、システム制御部１０１は、接続されている映像表示装置１１３の表示性能情報を取得する。そして、取得した表示性能情報から得られる映像表示装置１１３の画面サイズ又は推奨最大輝度値を変動要因８０１として設定輝度８０２が設定されてもよい。映像表示装置１１３の画面サイズを変動要因８０１とした場合、画面サイズが大きいほど設定輝度８０２を小さな値に設定する。画面サイズが大きい場合、高輝度の輝点の動く距離が大きくなり視聴者の目が疲れやすいためである。また、設定された設定輝度８０２を映像表示装置１１３の推奨最大輝度値以下に補正しても良い。こうすることで、推奨輝度設定値以下で映像を表示することができ、安定動作を行うことができる。
【００６７】
なお、上述した変動要因８０１について、単独又は組合せることによって設定輝度８０２の設定値が決められてもよい。また、本発明の実施の形態１では、記憶部１２０に特殊再生輝度テーブル１４０を記録している例を示しているが、システム制御部１０１内のプログラムとして特殊再生輝度テーブル１４０の情報を持っていても構わない。
【００６８】
図１０は、本発明の実施の形態１に係る早送り再生時のジャンプを説明する図である。上述したとおり、システム制御部１０１は、ＨＤＲビデオについて１倍速を超える速度で早送り又は巻き戻しなどを行う旨の特殊再生の信号を操作受信部１２１から得ると、ＨＤＲビデオの再生制御情報に基づいて、特殊再生の信号に含まれる速度の情報に従い予め定められた時間分の映像フレームを飛ばすジャンプを行う。システム制御部１０１は、通常は、ＨＤＲビデオの再生制御情報に基づいて、特殊再生の速度に従い決定されたジャンプ先のＩピクチャ７１０を特殊再生の映像として表示する。
【００６９】
特殊再生が開始されると、システム制御部１０１の特殊再生フレーム選択部１５２は、生制御情報に基づいて、再生開始時間情報５２１に対する再生開始位置情報５２２を決定する。図１０を用いて、ＨＤＲビデオの再生制御情報に基づいて速度に従い決定されたジャンプ先として、ＧＯＰ（Ｎ）９０１が選択された場合の説明を進める。
【００７０】
システム制御部１０１の特殊再生フレーム選択部１５２は、ＧＯＰ（Ｎ）９０１に関する近傍フレーム輝度情報５２４を取得し、設定輝度８０２に最も近い最大輝度情報を持ったＩピクチャ７１０を、ＧＯＰ（Ｎ−３）９０４〜ＧＯＰ（Ｎ＋３）９０３の設定範囲内から探索する。つまり、システム制御部１０１の特殊再生フレーム選択部１５２は、ジャンプ先のＧＯＰ（Ｎ）９０１が有するＩピクチャ７１０の輝度値、及びＧＯＰ（Ｎ）９０１を基準とする設定範囲内における他のＧＯＰ（ＧＯＰ（Ｎ）９０１を除くＧＯＰ（Ｎ−３）９０４〜ＧＯＰ（Ｎ＋３）９０３）が有するＩピクチャ７１０の輝度値のうち、設定輝度８０２に最も近い輝度値を持つＩピクチャ７１０を選択する。そして、システム制御部１０１は、設定輝度８０２に最も近い輝度値を持つＩピクチャ７１０を特殊再生の映像に使用する制御を行う。ここで、設定範囲は、自由に変更可能であることは言うまでもない。
【００７１】
本発明の実施の形態１では、設定輝度８０２が３００に設定されていた場合に、ＧＯＰ（Ｎ＋２）９０２が有するＩピクチャ７１０の最大輝度値が２５０であり、設定輝度８０２の３００に最も値が近い。また、ＧＯＰ（Ｎ＋２）９０２及びＧＯＰ（Ｎ＋３）９０３が有するＩピクチャ７１０は、ともに最大輝度値が２５０であるが、ＧＯＰ（Ｎ＋２）９０２の方が、ＧＯＰ（Ｎ＋３）９０３よりＧＯＰ（Ｎ）９０１に時間的に近く、選択するに好ましい。それゆえ、システム制御部１０１の特殊再生フレーム選択部１５２は、ＧＯＰ（Ｎ＋２）９０２をジャンプ先として選択する。そして、特殊再生の映像としてＧＯＰ（Ｎ）９０１のＩピクチャ７１０の替わりに、ＧＯＰ（Ｎ＋２）９０２のＩピクチャ７１０を表示する。その後は、同様の工程でジャンプ先を決め、間欠的に再生することで特殊再生を実現する。
【００７２】
なお、本発明の実施の形態１では、システム制御部１０１の特殊再生フレーム選択部１５２が、映像フレーム（本発明ではＩピクチャ７１０）の最大輝度情報を考慮してジャンプ先を選択しているが、映像フレームの平均輝度情報を用いてもよいことは言うまでもない。映像フレームの平均輝度情報を用いれば、映像フレーム全体の輝度の変動を抑えることができるので、映像フレームの平均輝度情報を用いて本発明を実施しても視聴者の目の疲れを軽減することができる。
【００７３】
なお、本発明の実施の形態１では、システム制御部１０１の特殊再生フレーム選択部１５２が、設定輝度８０２に最も近い輝度値を持つＩピクチャ７１０を選択しているが、設定輝度８０２以下の輝度値であって、設定輝度８０２に最も近いＩピクチャ７１０を選択するようにしてもよい。加えて、システム制御部１０１の特殊再生フレーム選択部１５２は、設定輝度８０２以下の輝度値を持つＩピクチャ７１０がジャンプ先のＧＯＰ（Ｎ）９０１及び他のＧＯＰ（ＧＯＰ（Ｎ）９０１を除くＧＯＰ（Ｎ−３）９０４〜ＧＯＰ（Ｎ＋３）９０３）に存在しない場合には、設定輝度８０２を超える輝度値であって、設定輝度８０２に最も近いＩピクチャ７１０を選択するようにしてもよい。
【００７４】
一方で、システム制御部１０１の特殊再生フレーム選択部１５２は、設定輝度８０２以下の輝度値を持つＩピクチャ７１０がジャンプ先のＧＯＰ（Ｎ）９０１及び他のＧＯＰ（ＧＯＰ（Ｎ）９０１を除くＧＯＰ（Ｎ−３）９０４〜ＧＯＰ（Ｎ＋３）９０３）に存在しない場合に、設定範囲を広げて探索する他のＧＯＰの数を増加させることで、設定輝度８０２以下の輝度値であって、設定輝度８０２に最も近いＩピクチャ７１０を選択するようにしてもよい。
【００７５】
図１１は、本発明の実施の形態１に係る映像再生装置１００の再生処理を説明するフローチャートである。ステップＳ１０１において、システム制御部１０１の表示機器情報取得部１５１は、接続されている映像表示装置１１３の表示性能を取得する。ステップＳ１０２において、システム制御部１０１は、再生ドライブ部１０２に挿入された光ディスク１０３から再生制御情報を読み取り、ディスク情報を取得する。ステップＳ１０３において、システム制御部１０１は、操作装置１３０からの入力に従い、光ディスク１０３中から再生するプレイリストを選択する。
【００７６】
ステップＳ１０４において、システム制御部１０１は、再生するプレイリストに関する情報を再生制御情報から読み出す。そして、システム制御部１０１は、読み出された情報を用いて、選択されたプレイリストがＨＤＲビデオか否かを判断する。ステップＳ１０５において、システム制御部１０１は、選択されたプレイリストが再生すべきストリーム情報ファイル３２０を光ディスク１０３から特定する。そして、システム制御部１０１は、特定されたストリーム情報ファイル３２０から、読み出し位置を取得し、取得された読み出し位置の情報を復号化することによって、プレイリストの再生を行う。
【００７７】
なお、図１１のフローチャートは、再生ドライブ部１０２に光ディスク１０３が挿入されると開始するようにしてもよいが、例えば光ディスク１０３が挿入された状態で映像再生装置１００の電源がＯＮになったときに開始するようにしてもよく、これに限られるものではない。
【００７８】
図１２は、本発明の実施の形態１に係る特殊再生のジャンプ位置補正処理のフローチャートである。なお、図１２は、ＨＤＲ対応の映像表示装置１１３にＨＤＲビデオが記録されたコンテンツが出力されることを前提としたフローチャートである。
【００７９】
図１２より、システム制御部１０１は、プレイリストの再生中に操作装置１３０を通じて早送り又は巻き戻しなどの特殊再生の指示を受けると開始する。ステップＳ２０１において、システム制御部１０１は、特殊再生速度の再生速度情報を操作装置１３０から取得する。再生速度情報とは、通常再生速度と比較した倍率を示し、０．５倍速であれば通常再生速度の半分の速さであるスロー再生を示し、３倍速であれば通常再生速度の３倍の速さである早送り再生を示す。また、巻き戻し再生の場合は、−０．５倍速であれば通常再生速度の半分の速さで巻き戻す巻き戻し再生を示し、−３倍速であれば通常再生速度の３倍の速さで巻き戻す巻き戻し再生を同様に示す。なお、特殊再生速度の再生速度情報を図１２のフローチャートの開始とともにシステム制御部１０１が取得していた場合、ステップＳ２０１は省略される。
【００８０】
ステップＳ２０２において、システム制御部１０１は、映像再生装置１００の初期設定情報を記憶部１２０から取得する。初期設定情報は、機器固有の設定情報であり、操作者の年齢又は性別情報などを含む場合もある。なお、操作者の年齢又は性別情報などは、初期設定情報で必ずしも設定する必要がないため、例えば、システム制御部１０１は、操作装置１３０を介して操作者の年齢又は性別情報などの属性情報を取得する構成としてもよい。
【００８１】
ステップＳ２０３において、システム制御部１０１は、図１１のステップＳ１０１で取得した表示性能の情報から映像表示装置１１３の推奨最大輝度値を取得する。また、システム制御部１０１の特殊再生フレーム選択部１５２は、記憶部１２０に記憶された特殊再生輝度テーブル１４０を読み出し、特殊再生速度に応じた設定輝度８０２を映像表示装置１１３の推奨最大輝度値を考慮して算出する。
【００８２】
ステップＳ２０３において、例えば、特殊再生速度が５倍速であった場合、図９より設定輝度８０２は２５０となる。推奨最大輝度値が２５０以上であれば、設定輝度８０２は２５０に設定される。一方、推奨最大輝度値が２５０よりも下の値であれば、設定輝度８０２は推奨最大輝度値に設定される。このようにして、システム制御部１０１の特殊再生フレーム選択部１５２は、設定輝度８０２を算出する。よって、映像表示装置１１３側の推奨最大輝度値を勘案して設定輝度８０２が決定されるため、映像表示装置１１３の省エネ及び安全性に配慮した輝度値にすることもできる。
【００８３】
ステップＳ２０４において、システム制御部１０１は、操作装置１３０を介して特殊再生の終了指示の信号の有無を確認する。システム制御部１０１は、特殊再生の終了指示の信号を受信していない場合は、ステップＳ２０５に進み、特殊再生の終了指示の信号を受信している場合は、フローチャートを終了する。
【００８４】
ステップＳ２０５において、特殊再生の終了指示の信号を受信していないため、システム制御部１０１が特殊再生中であると判断した場合、システム制御部１０１の特殊再生フレーム選択部１５２は、再生制御情報ファイル３１０からジャンプ先のＧＯＰ７０１の近傍フレーム輝度情報５２４を取得する。そして、ステップＳ２０６において、システム制御部１０１の特殊再生フレーム選択部１５２は、近傍フレーム輝度情報５２４に基づき、図９で説明したように、ジャンプ先のＧＯＰ７０１が有するＩピクチャ７１０の輝度値、及びジャンプ先のＧＯＰ７０１を基準とする設定範囲内における他のＧＯＰ７０１が有するＩピクチャ７１０の輝度値のうち、設定輝度８０２に最も近い輝度値を持つＩピクチャ７１０を選択する。ステップＳ２０７において、システム制御部１０１は、ステップＳ２０６で選択されたＧＯＰ７０１の再生開始位置にジャンプし、係るＧＯＰ７０１のＩピクチャ７１０を映像表示装置１１３で再生する。そして、システム制御部１０１は、これらの処理を特殊再生の終了指示があるまで繰り返すため、再びステップＳ２０４を実行する。
【００８５】
なお、本発明の実施の形態１では、再生制御情報がアクセスポイント毎の近傍フレーム輝度情報５２４を有している例を説明した。しかしながら、Ｉピクチャ７１０は独自情報を格納できるＳＥＩ７３４を有するため、映像ストリーム７００中の各アクセスポイントのＩピクチャ７１０のＳＥＩ７３４が、近傍フレーム輝度情報５２４を持つ構成としてもよい。
【００８６】
以上のとおり、本発明の実施の形態１における映像再生装置１００では、外部からの指示を受信する操作受信部１２１と、ＨＤＲビデオについて１倍速を超える速度で早送り又は巻き戻しさせる旨の特殊再生の信号を操作受信部１２１から得た場合に、ＨＤＲビデオの再生制御情報に基づいて速度に従い決定されたジャンプ先のＧＯＰ７０１が有するＩピクチャ７１０の輝度値、及びこのジャンプ先のＧＯＰ７０１を基準とする設定範囲内における他のＧＯＰ７０１が有するＩピクチャ７１０の輝度値のうち、設定輝度８０２に最も近い輝度値を持つＩピクチャ７１０を選択し、設定輝度８０２に最も近い輝度値を持つＩピクチャ７１０を特殊再生の映像に使用する制御を行うシステム制御部１０１とを備える。
【００８７】
また、本発明の実施の形態１における映像再生方法では、操作受信部１２１が、外部からの指示を受信し、システム制御部１０１が、ＨＤＲビデオについて１倍速を超える速度で早送り又は巻き戻しさせる旨の特殊再生の信号を操作受信部１２１から得た場合に、ＨＤＲビデオの再生制御情報に基づいて、速度に従い決定されたジャンプ先のＧＯＰ７０１が有するＩピクチャ７１０の輝度値、及びこのジャンプ先のＧＯＰ７０１を基準とする設定範囲内における他のＧＯＰ７０１が有するＩピクチャ７１０の輝度値のうち、設定輝度８０２に最も近い輝度値を持つＩピクチャ７１０を選択し、設定輝度８０２に最も近い輝度値を持つＩピクチャ７１０を特殊再生の映像に使用する制御を行う。
【００８８】
このような構成によれば、例えばＨＤＲビデオを早送りするなどの特殊再生時においても、高輝度の輝点が画面上を激しく動くことを抑制し、視聴者の目の疲れを従来より軽減できる効果が得られる。通常再生時には高品位なＨＤＲビデオの映像視聴を楽しむことができつつ、特殊再生時にはＨＤＲビデオによる視聴者の目の疲れを低減させることができる映像再生装置１００及び映像再生方法を提供することができる。
【００８９】
また、視聴者の目の疲れを軽減するために、別途、輝度変換処理回路を構成する必要がないため、回路規模が大きくなるのを抑制し、映像再生装置１００の価格を従来より安価にすることができる。
【００９０】
また、本発明の実施の形態１における映像再生装置１００及び映像再生方法では、システム制御部１０１は、設定輝度８０２が、ＨＤＲビデオを表示する映像表示装置１１３の表示可能な輝度を超える場合に、設定輝度８０２を表示可能な輝度以下に変更する。
【００９１】
このような構成によれば、映像表示装置１１３の表示可能な輝度に応じた設定輝度８０２とすることができるため、特殊再生時を含むＨＤＲビデオの表示を適切に行うことができる。
【００９２】
また、本発明の実施の形態１における映像再生装置１００及び映像再生方法では、システム制御部１０１は、設定輝度８０２以下の輝度値であって、設定輝度８０２に最も近い輝度値を持つＩピクチャ７１０を選択し、設定輝度に最も近い輝度値を持つＩピクチャ７１０を特殊再生の映像に使用する制御を行う。
【００９３】
このような構成によれば、設定輝度８０２を超える輝度を映像表示装置１１３で表示することを防止することができるため、高輝度の輝点の明るさの変化の影響を抑制することができる。
【００９４】
また、本発明の実施の形態１における映像再生装置１００及び映像再生方法では、設定輝度８０２以下の輝度値を持つＩピクチャ７１０がジャンプ先のＧＯＰ７０１及び他のＧＯＰ７０１に存在しない場合に、設定輝度８０２を超える輝度値であって、設定輝度８０２に最も近い輝度値を持つＩピクチャ７１０を選択し、設定輝度に最も近い輝度値を持つＩピクチャ７１０を特殊再生の映像に使用する制御を行う。
【００９５】
このような構成によれば、設定輝度８０２以下の輝度値を持つＩピクチャ７１０がジャンプ先のＧＯＰ７０１およびその周囲の他のＧＯＰ７０１に存在しない場合においても、設定輝度８０２に最も近いＩピクチャ７１０を選択することで高輝度の輝点の明るさの変化の影響を可能な限り抑制することができる。
【００９６】
また、本発明の実施の形態１における映像再生装置１００及び映像再生方法では、システム制御部１０１は、設定輝度８０２以下の輝度値を持つＩピクチャ７１０がジャンプ先のＧＯＰ７０１及び他のＧＯＰ７０１に存在しない場合に、設定範囲を広げて、探索する他のＧＯＰ７０１の数を増加させ、設定輝度８０２以下の輝度値であって、設定輝度８０２に最も近い輝度値を持つＩピクチャ７１０を選択し、設定輝度に最も近い輝度値を持つＩピクチャ７１０を特殊再生の映像に使用する制御を行う。
【００９７】
このような構成によれば、設定輝度８０２以下の輝度値を持つＩピクチャ７１０がジャンプ先のＧＯＰ７０１およびその周囲の他のＧＯＰ７０１に存在しない場合においても、探索範囲を広げることで設定輝度８０２以下の輝度値を持つＩピクチャ７１０を見つけることができる。それゆえ、設定輝度８０２を超える輝度を映像表示装置１１３で表示することを防止することができ、高輝度の輝点の明るさの変化の影響を抑制することができる。
【００９８】
また、本発明の実施の形態１における映像再生装置１００及び映像再生方法では、システム制御部１０１は、速度が大きくなるにつれて設定輝度８０２が小さくなるよう設定された特殊再生輝度テーブル１４０に基づき、速度との関係から設定輝度８０２を決定する。
【００９９】
このような構成によれば、ＨＤＲビデオについて１倍速を超える速度で早送り又は巻き戻しさせる場合に、速度が大きくなるにつれて映像の相関性が低くなることから、速度が大きくなるにつれて設定輝度８０２を小さくしている。それゆえ、映像再生装置１００に映る高輝度の輝点の明るさの変化を抑制し、視聴者の目の疲れを軽減することができる。
【０１００】
実施の形態２．
次に、本発明の実施の形態２に係る映像再生装置１００について、図１３および図１４を用いて説明する。実施の形態２の映像再生装置１００は、特殊再生時に選択されるピクチャのフレーム平均輝度の輝度変化が小さく、かつ、特徴的な映像シーンを選択しやすいように構成されている。
【０１０１】
図１３は、本発明の実施の形態２における近傍フレーム輝度情報１２００のデータ構造の説明図である。近傍フレーム輝度情報１２００は、実施の形態１において説明した近傍フレーム輝度情報５２４（図６）の代わりにアクセスポイント管理テーブル５１５に記録されている。
【０１０２】
近傍フレーム輝度情報１２００は、所定のアクセスポイント（ＧＯＰ７０１）が有するＩピクチャ７１０の最大輝度値、平均輝度値およびＩピクチャ７１０の重要度情報としての重要度レベルを有しており、所定のアクセスポイントを基準とする設定範囲内における他のアクセスポイントが有するＩピクチャ７１０の最大輝度値、平均輝度値および重要度レベルを有している。ここで、設定範囲内は任意に設定することができ、本発明の実施の形態２では、所定のＧＯＰ７０１から時間的に未来方向へ３つ分、及び過去方向へ３つ分設定されている。
【０１０３】
すなわち、図１３では、Ｎはアクセスポイントの位置を示し、本発明の実施の形態２における近傍フレーム輝度情報１２００は、所定のアクセスポイントであるＧＯＰ（Ｎ）から時間的に未来方向へ３つ分、また過去方向へ３つ分のアクセスポイントのＩピクチャ７１０の最大輝度情報と平均輝度情報とを持つものとする。なお、Ｎ＋１、Ｎ＋２、Ｎ＋３と進むにつれ、時間的に未来方向を表す。一方で、Ｎ−１、Ｎ−２、Ｎ−３と進むにつれ、時間的に過去方向を表す。
【０１０４】
例えば、最大輝度情報（Ｎ）６０１、フレーム平均輝度情報（Ｎ）６０２および重要度レベル（Ｎ）は、基準となるアクセスポイントのＩピクチャ７１０における最大輝度情報、フレーム平均輝度情報および重要度レベル（Ｎ）１２０３を示す。
【０１０５】
最大輝度情報（Ｎ−３）６１１、フレーム平均輝度情報（Ｎ−３）６１２および重要度レベル（Ｎ−３）１２１３は、過去方向に３つ前のアクセスポイントのＩピクチャ７１０における最大輝度情報、フレーム平均輝度情報および重要度情報を示す。
【０１０６】
逆に最大輝度情報（Ｎ＋３）６２１、フレーム平均輝度情報（Ｎ＋３）６２２および重要度レベル（Ｎ＋３）１２２３は、未来方向に３つ先のアクセスポイントのＩピクチャ７１０における最大輝度情報、フレーム平均輝度情報および重要度情報を示す。なお、図１３では便宜的に「フレーム平均輝度情報」を「平均輝度情報」と示している。
【０１０７】
このように、本発明の実施の形態２では、近傍フレーム輝度情報１２００は、ＧＯＰ（Ｎ−３）〜ＧＯＰ（Ｎ＋３）まで７つのアクセスポイントの輝度情報を有している。つまり、近傍フレーム輝度情報１２００は、ＧＯＰ（Ｎ）を中心として、時間的に前後３つのアクセスポイントの輝度情報を持っているが、３つに限らず、更に多くのアクセスポイントの情報を持っても構わないし、１つ分でも構わないのは言うまでもない。
【０１０８】
ここで、重要度レベルは、映像シーンの意味的な重要性を示す数値情報である。本実施の形態では、数値が０から１００の範囲で設定されるものとし、数値が大きいほど意味的な重要性が高いものとする。
【０１０９】
すなわち、重要度レベルは、例えば、ドラマ番組では主要な登場人物が登場するシーンほど高い数値が設定される。また、ドラマシナリオの展開がクライマックスに近いほど数値が高くなるように設定しても良い。またスポーツ番組では、得点シーン、ファインプレーシーンなどでは、重要度レベルが高く設定される。また、音楽番組では、楽曲紹介シーン、聞かせどころ（サビ）などで重要度レベルが高く設定される。
【０１１０】
なお、重要度レベルは、システム制御部１０１（図１）が光ディスク１０３から読み出す再生制御情報ファイル３１０（図６）中の近傍フレーム輝度情報１２００に含まれており、番組制作者または光ディスク制作者によって予め設定されている。
【０１１１】
ここで、重要度レベルの設定方法は公知の技術であり、例えば、国際公開２００５／０６９１７２Ａ１公報および特開２００６−３４５５５４号公報には、重要度レベルを音声信号を用いることによって求めることが開示されており、音声信号を音声、音楽、歓声、拍手、笑い声等に分類し、拍手および歓声には、音声や音楽よりも高い重要度レベルを与えることなどが開示されている。また、連続した拍手および歓声の最長の長さを求めることによって、あるいは拍手および歓声の割合(パーセンテージ）を求めることによって、重要度レベルを計算することが開示されている。
【０１１２】
例えば、スポーツ番組などの場合、得点シーンや得点するチャンスにおいては、拍手、歓声の他にアナウンサー、解説者による絶叫音声を指標として、重要度レベルの算出に使用することが開示されている。
【０１１３】
特許第４７４３２２８号公報には、例えば、予め主観評価で顕著にスポーツのハイライトシーンと判断される音声の係数ベクトルを収集し、トレーニングデータとして係数ベクトルの分布傾向を、混合ガウス分布モデル（ＧＭＭ、Ｇａｕｓｓｉａｎ  Ｍｉｘｔｕｒｅ  Ｍｏｄｅｌ）を使用してモデル化し、このモデルデータを参照して、入力された音声信号に対して最も尤度の高い音声モデルを探してラベル付けを行うことでハイライトシーンを特定する技術ことが開示されている。
【０１１４】
また、拍手や歓声、トークシーンの会話といった音声についても同様にトレーニングデータを収集して混合ガウス分布モデルを作成し、複数の音声モデルを用意することで、入力された音声信号に対してラベル付けを行うことで、各シーンを特定する技術が開示されている。
【０１１５】
なお、混合ガウス分布モデルによる尤度比較以外に、隠れマルコフ法（ＨＭＭ法）などの統計的な手法を使用することも開示されている。
【０１１６】
図１４は、本発明の実施の形態２に係る特殊再生のジャンプ位置補正処理のフローチャートである。なお、図１４は、ＨＤＲ対応の映像表示装置１１３（図１）にＨＤＲビデオが記録されたコンテンツが出力されることを前提としたフローチャートである。なお、図１４におけるステップＳ２０１〜Ｓ２０５の処理は、図１１に示したステップＳ２０１〜Ｓ２０５の処理と同じであるので、概略のみ説明する。
【０１１７】
図１４において、システム制御部１０１は、プレイリストの再生中に操作装置１３０を通じて早送り又は巻き戻しなどの特殊再生の指示を受けると特殊再生を開始する。そして、ステップＳ２０１において、システム制御部１０１は、特殊再生速度の再生速度情報を操作装置１３０から取得する。
【０１１８】
次に、ステップＳ２０２において、システム制御部１０１は、映像再生装置１００の初期設定情報を記憶部１２０から取得する。
【０１１９】
次に、ステップＳ２０３において、システム制御部１０１は、図１１のステップＳ１０１で取得した表示性能の情報から映像表示装置１１３の推奨最大輝度値を取得する。また、システム制御部１０１の特殊再生フレーム選択部１５２は、記憶部１２０に記憶された特殊再生輝度テーブル１４０を読み出し、特殊再生速度に応じた設定輝度８０２を映像表示装置１１３の推奨最大輝度値を考慮して算出する。
【０１２０】
次に、ステップＳ２０４において、システム制御部１０１は、操作装置１３０を介して特殊再生の終了指示の信号の有無を確認する。システム制御部１０１は、特殊再生の終了指示の信号を受信していない場合は、ステップＳ２０５に進み、特殊再生の終了指示の信号を受信している場合は、一連の処理を終了する。
【０１２１】
ステップＳ２０５において、特殊再生の終了指示の信号を受信していないため、システム制御部１０１が特殊再生中であると判断した場合、システム制御部１０１の特殊再生フレーム選択部１５２は、再生制御情報ファイル３１０から特殊再生のジャンプ先となるＧＯＰ７０１の近傍フレーム輝度情報１２００を取得する。
【０１２２】
ステップＳ２０８では、システム制御部１０１は、ステップＳ２０５で取得した近傍フレーム輝度情報１２００の探索範囲の中で重要度レベルが、映像再生装置１００において予め設定されている所定の閾値以上の映像フレームを抽出する。本実施の形態２では、探索範囲は基準となるアクセスポイントを中心として未来方向へ３つ分、及び過去方向へ３つ分の合計７つ分のアクセスポイントについての映像フレームから抽出されるものとする。例えば、閾値が重要度レベル５０に設定されている場合、７つ分の映像フレームのうち、重要度レベル５０以上の映像フレームが抽出される。
【０１２３】
そして、抽出された映像フレームの中で、設定輝度に最も近い平均輝度情報６０２を持った映像フレームを選択し、ジャンプ先のＧＯＰとして確定する（ステップＳ２０９）。
【０１２４】
ステップＳ２０９では、システム制御部１０１の特殊再生フレーム選択部１５２が、近傍フレーム輝度情報１２００に基づき、ジャンプ先のＧＯＰ７０１が有するＩピクチャ７１０の輝度値、及びジャンプ先のＧＯＰ７０１を基準とする設定範囲内における他のＧＯＰ７０１が有するＩピクチャ７１０の輝度値のうち、設定輝度に最も近い輝度値を持つＩピクチャ７１０を選択する。
【０１２５】
なお、実施の形態１では、基準となるアクセスポイントの最大輝度情報６０１に対して輝度変化が小さくなるようにジャンプ先を選択していたが、実施の形態２では、基準となるアクセスポイントの平均輝度情報６０２に対して輝度変化が小さくなるようにジャンプ先を選択するものとする。なお、図９は、推奨最大輝度値に基づいて作成されており、平均輝度値を用いる実施の形態２では、推奨平均輝度値に基づいて作成されてテーブルを使用することとなる。
【０１２６】
そして、ステップＳ２１０において、システム制御部１０１は、ステップＳ２０９で選択されたＧＯＰの再生開始位置にジャンプし、係るＧＯＰのＩピクチャを映像表示装置１１３で再生する。そして、システム制御部１０１は、これらの処理を特殊再生の終了指示があるまで繰り返すため、再びステップＳ２０４を実行する。
【０１２７】
なお、本発明の実施の形態２では、再生制御情報がアクセスポイント毎の近傍フレーム輝度情報１２００を有している例を説明した。しかしながら、Ｉピクチャ７１０は独自情報を格納できるＳＥＩ７３４を有するため、映像ストリーム７００中の各アクセスポイントのＩピクチャ７１０のＳＥＩ７３４が、近傍フレーム輝度情報１２００を持つ構成としても良い。
【０１２８】
このような構成によれば、特殊再生においてハイライトシーンなど、重要度レベルの高い映像シーンを選び出すことが容易となる。また、ハイライトシーンの視聴のために、例えばＨＤＲビデオを早送りするなどの特殊再生時においても、画面の平均輝度の変化が少ないため、画面全体の見やすさが向上し、視聴者の目の疲れを抑え、所望の映像シーンを探索しやすい映像再生装置を提供することができる。特に特殊再生で所望シーンを検索する場合、画面全体の明るさが変わらないことで目の疲労を軽減できるとともに、特殊再生で選択される映像シーンとして意味のない映像シーンが選択されにくくなるため所望の映像シーンを探しやすくなるといった効果を奏する。
【０１２９】
なお、実施の形態２においても、最大輝度情報６０１に対して輝度変化が小さくなるようにジャンプ先を選択しても良いことは言うまでもなく、その場合は、輝点が画面上を激しく動くことが防止される。
【０１３０】
なお、本発明は、発明の範囲内において、自由に組み合わせることや、適宜、変形、省略することが可能である。また、以上のように本発明の実施の形態１、２について説明したが、本発明は実施の形態１、２に限るものではない。
【符号の説明】
【０１３１】
１００  映像再生装置、１０１  システム制御部、１１３  映像表示装置、１２１  操作受信部、１４０  特殊再生輝度テーブル、７０１  ＧＯＰ、７１０  Ｉピクチャ、８０２  設定輝度。
【図１】
0006641230.tif 000002
【図２】
0006641230.tif 000003
【図３】
0006641230.tif 000004
【図４】
0006641230.tif 000005
【図５】
0006641230.tif 000006
【図６】
0006641230.tif 000007
【図７】
0006641230.tif 000008
【図８】
0006641230.tif 000009
【図９】
0006641230.tif 000010
【図１０】
0006641230.tif 000011
【図１１】
0006641230.tif 000012
【図１２】
0006641230.tif 000013
【図１３】
0006641230.tif 000014
【図１４】
0006641230.tif 000015